(57)【要約】【課題】顕微鏡を特に簡単な構造で実現する。【解決手段】対物レンス（１）及び／又は対物レンズチェンジャー及び／又は対物レンズターレットの位置を、被検物台（６）位置決め用調整装置（３）を用いて調節可能とするように、対物レンス及び／又は対物レンズチェンジャー及び／又は対物レンズターレットを調整装置に連結する。【選択図】図１
2006209111.tif 000002
【特許請求の範囲】
【請求項１】
対物レンズ（１）及び／又は対物レンズチェンジャー及び／又は対物レンズターレットと被検物台（６）位置決め用調整装置（３）とを備えた顕微鏡において、対物レンズ（１）及び／又は対物レンズチェンジャー及び／又は対物レンズターレットの位置を上記調整装置（３）を用いて調節可能とするように、上記調整装置（３）に対物レンズ（１）及び／又は対物レンズチェンジャー及び／又は対物レンズターレットを連結することを特徴とする顕微鏡。
【請求項２】
対物レンズ（１）及び／又は対物レンズチェンジャー及び／又は対物レンズターレットの連結を、上記調整装置（３）に連結可能な対物レンズ（１）及び／又は対物レンズチェンジャー及び／又は対物レンズターレット用のホルダー（４）を用いて実現することを特徴とする請求項１に記載の顕微鏡。
【請求項３】
ホルダー（４）を調整装置（３）に逆転可能に連結し、当該調整装置（３）から連結解除できることを特徴とする請求項２に記載の顕微鏡。
【請求項４】
被検物台（６）を調整装置（３）に逆転可能に連結し、当該調整装置（３）から連結解除できることを特徴とする請求項１〜３のいずれか一項に記載の顕微鏡。
【請求項５】
対物レンズ（１）及び／又は対物レンズチェンジャー及び／又は対物レンズターレット及び／又はホルダー（４）を、被検物台（６）の代わりに又は当該被検物台に加えて調整装置（３）に連結可能であることを特徴とする請求項１〜４のいずれか一項に記載の顕微鏡。
【請求項６】
対物レンズ（１）及び／又は対物レンズチェンジャー及び／又は対物レンズターレットの連結及び／又はホルダー（４）の連結を、ネジ締め固定によって実現することを特徴とする請求項１〜５のいずれか一項に記載の顕微鏡。
【請求項７】
対物レンズ（１）及び／又は対物レンズチェンジャー及び／又は対物レンズターレットの連結及び／又はホルダー（４）の連結を、捻り結合、特に差し込み結合によって実現することを特徴とする請求項１〜５のいずれか一項に記載の顕微鏡。
【請求項８】
対物レンズ（１）及び／又は対物レンズチェンジャー及び／又は対物レンズターレットの連結及び／又はホルダー（４）の連結を、クランプ結合、ノッチ結合又はスナップオン結合によって実現することを特徴とする請求項１〜５のいずれか一項に記載の顕微鏡。
【請求項９】
ホルダー（４）又は調整装置（３）を、マクロ対物レンズの収容のために形成することを特徴とする請求項１〜８のいずれか一項に記載の顕微鏡。
【請求項１０】
調整装置（３）が機械式駆動装置を有することを特徴とする請求項１〜９のいずれか一項に記載の顕微鏡。
【請求項１１】
調整装置（３）が電気式駆動装置を有することを特徴とする請求項１〜９のいずれか一項に記載の顕微鏡。
【発明の詳細な説明】
【技術分野】
【０００１】
本発明は、対物レンズ及び／又は対物レンズチェンジャー及び／又は対物レンズターレットと被検物台（サンプルテーブル）位置決めのための調整装置とを備えた顕微鏡に関するものである。
【背景技術】
【０００２】
冒頭に述べた様式の顕微鏡は、実務から公知で、様々な実施態様において存在する。その際、例えば対物レンズの調節、対物レンズチェンジャーの調節又は対物レンズターレットの調節を顕微鏡の三脚本体に付設された特別な駆動装置を介して行う顕微鏡が知られている。補助的に、公知の顕微鏡では、被検物台の位置決めのための調整装置が備えられている。
【０００３】
それゆえ、公知の顕微鏡では、対物レンズ、対物レンズチェンジャー又は対物レンズターレットのための駆動装置を備えた保持装置の収容のために、顕微鏡の本体が特別に形成されていなければならない点で不利である。これに関連して、たびたびＺ方向で、即ち、対物レンズのその光軸に沿った移動方向での道程が制限される。
【発明の開示】
【発明が解決しようとする課題】
【０００４】
それゆえ本発明の根底をなす課題は、特に簡単な構造を実現する冒頭に述べた様式の顕微鏡を定めることにある。
【課題を解決するための手段】
【０００５】
本発明によれば、この課題は、特許請求の範囲における請求項１の特徴部分の特徴構成を備えた顕微鏡によって解決される。それによると、対物レンス及び／又は対物レンズチェンジャー及び／又は対物レンズターレットの位置を、調整装置を用いて調節可能とするように対物レンス及び／又は対物レンズチェンジャー及び／又は対物レンズターレットを調整装置に連結可能とするよう、顕微鏡を構成・改良する。
【０００６】
本発明に係るやり方で、顕微鏡において対物レンズ、対物レンズチェンジャー又は対物レンズターレットの移動のための分離した調節乃至調整装置を設けることが強制的でなく必要であることが先ず知られた。更なる発明に係るやり方で、調整装置への対物レンズ及び／又は対物レンズチェンジャー及び／又は対物レンズターレットの連結可能性は意外なほど簡単に上記課題を解決することが、次いで知られた。対物レンス及び／又は対物レンズチェンジャー及び／又は対物レンズターレットの位置を、調整装置を用いて調節可能とするように、上記連結可能性を実現する。言い換えれば、この際、被検物台のために設けられた調整装置が対物レンス及び／又は対物レンズチェンジャー及び／又は対物レンズターレットの調節のために用いることができる。対物レンス及び／又は対物レンズチェンジャー及び／又は対物レンズターレットのための駆動装置を備え顕微鏡の三脚本体に形成される特別な保持装置は、この際、必要ない。これは三脚本体の構造を、それと共に顕微鏡の構造を著しく単純化する。
【０００７】
本発明に係る顕微鏡では、例えば直立顕微鏡の標準三脚本体を用いることができる。その際、Ｚ方向の道程が明らかに長めに実現される。
したがって、本発明に係る顕微鏡で、特に簡単な構造を実現する顕微鏡を実現する。
【０００８】
特に簡単な構成に関して、対物レンス及び／又は対物レンズチェンジャー及び／又は対物レンズターレットの連結は、調整装置に連結可能な対物レンス及び／又は対物レンズチェンジャー及び／又は対物レンズターレット用ホルダーを用いて実現し得る。そのようなホルダーはその際、調整装置と対物レンス及び／又は対物レンズチェンジャー及び／又は対物レンズターレットの間のアダプターとして作用可能である。
【０００９】
特に高いフレキシビリティに関して、ホルダーは調整装置に逆転可能に（裏返し可能に、反対にできるように）連結され、そして当該装置から外され得る。必要に応じてホルダーは調整装置から取り除かれ得、また再び調整装置に取り付けられ得る。その際、様々なホルダーが様々な対物レンズ、対物レンズチェンジャー及び／又は対物レンズターレットのために使用され得る。いずれにせよＺ方向での単純な移動が調整装置を稼動させることで可能にする。
【００１０】
更に顕微鏡の高いフレキシビリティに関して、被検物台は調整装置に逆転可能に連結され、そして当該装置から外され得る。それによって被検物台を伴っても伴わなくとも上記顕微鏡が機能し得る。
【００１１】
顕微鏡の特に有利な形態の場合、ホルダーは被検物台に対して代替的に又は追加的に調整装置に連結可能である。ホルダーなしの顕微鏡の形態の場合、対物レンズ及び／又は対物レンズチェンジャー及び／又は対物レンズターレットは同様に被検物台に対して代替的に又は追加的に調整装置に連結可能である。この際、必要に応じて適切な構成が選択される。
【００１２】
調整装置への対物レンズ及び／又は対物レンズチェンジャー及び／又は対物レンズターレット及び／又はホルダーの連結可能性に関して、様々な実現が可能である。特に簡単な形態の場合、上記連結可能性はネジ締め固定を介して実現可能である。この代わりに且つ特に素早い連結過程と取り外し過程に関して、捻り結合（Renkverbindung）、特に差し込み結合が実現可能である。しかしながら、クランプ結合、ノッチ（ラッチ）結合又はスナップオン結合も確実な連結可能性の保証のために可能である。
【００１３】
特に有利な形態の場合、ホルダー又は調整装置がマクロ対物レンズ（Makro-Objektiv）の収容のために形成され得る。これによってスキャナー連結（Scanneranbindung）を備えた顕微鏡が有利に実現する。この顕微鏡で大きなサンプルを見ることができ、同時に良好な蛍光軸線も有する。
【００１４】
原則的に様々なホルダーの収容及び／又は連結及び駆動が可能である。その際、例えば大きな構造形状の個々の特殊な対物レンズでも２つの対物レンズ用の対物レンズチェンジャーでも標準対物レンズを備えた対物レンズターレットでも使用可能である。
【００１５】
本発明に係る顕微鏡の場合、被検物台の位置決めのために既に存在する調整装置を対物レンズ及び／又は対物レンズチェンジャー及び／又は対物レンズターレットを移動するために利用可能であるのが、原則的に有利である。その際、対物レンズ及び／又は対物レンズチェンジャー及び／又は対物レンズターレットのための更に特別な調整装置は必要ない。
【００１６】
調整装置は機械式駆動装置又は電気式駆動装置を有し得る。この際、夫々の適用ケースに合わせて選択される。
顕微鏡の本発明に係る形態の場合、被検物台の位置決めのための調整装置を用いて対物レンズ及び／又は対物レンズチェンジャー及び／又は対物レンズターレットの顕微鏡の三脚又は本体に対する相対移動が生じ得る。顕微鏡の特に有利な形態の場合、被検物台と対物レンズ及び／又は対物レンズチェンジャー及び／又は対物レンズターレットの間の相対移動も用意され得る。このために調整装置は適切に構成されて、対物レンズ及び／又は対物レンズチェンジャー及び／又は対物レンズターレットは被検物台に無関係に、また被検物台は対物レンズ及び／又は対物レンズチェンジャー及び／又は対物レンズターレットに無関係に動くことが可能である。その際、三脚又は本体に対する被検物台の相対的な可動性はいずれにせよ維持されたままである。
【００１７】
本発明は特に所謂固定ステージ顕微鏡（Fixed-Stage-Mikroskopen）で用いることができ、対物レンズ・焦点駆動は本体における機構を介する代わりに対物レンズ台の駆動装置を介して行われる。
【００１８】
本発明の教示を有利に構成・改良する様々な可能性が存在する。そのために一方では、特許請求の範囲が指摘され、他方では図面に基づいた本発明に係る教示の好適な実施例の以下の解説が指摘される。図面に基づいた本発明に係る教示の好適な実施例の解説に関連して、だいたいにおいて上記教示の好適な構成・改良も解説される。
【発明を実施するための最良の形態】
【００１９】
図１は、本発明に係る顕微鏡の実施例を概略的に示す。当該顕微鏡は対物レンズ１と、顕微鏡の本体２に配された被検物台位置決め用調整装置３とを有する。特に簡単な構造に関して、対物レンズ１の位置を調整装置３を用いて調節可能なように、対物レンズ１は調整装置３に連結されている。調整装置３への対物レンズ１の連結可能性を簡単に実現するために、調整装置３に連結されたホルダー４が対物レンズ１のために設けられる。
【００２０】
ホルダー４は逆転可能に調整装置３に連結され、これから連結解除される。
更に参照番号５で顕微鏡の集光器が示されている。
対物レンズ１及び／又はホルダー４の連結可能性は、ネジ締め固定を介して、捻り結合、特に差し込み結合を介して、或いはクランプ結合、ノッチ結合又はスナップ結合を介して、いずれでも実現され得る。
【００２１】
図２は、対物レンズ１、本体２、被検物台６用の調整装置３及び集光器５を備えた従来の顕微鏡を概略的に示す。被検物台６用の調整装置３に並んで、ここにはなお別の図示しない対物レンズ１用調整装置が設けられており、これは顕微鏡の本体２に付加的に一体化されている。これによって本発明に係る顕微鏡と比較してコスト高な形態の従来の顕微鏡が存在する。
【００２２】
本発明に係る教示の更に有利な形態に関しては、繰り返しを避けるために、明細書の全般部分並びに特許請求の範囲が指摘される。
最後に、先に述べた実施例は請求された教示の解説のためにのみ用いられ、当該教示はこの実施例に限定されないことが、はっきりと指摘される。
【図面の簡単な説明】
【００２３】
【図１】本発明に係る顕微鏡の実施例の概略図である。
【図２】従来の顕微鏡の概略図である。
【符号の説明】
【００２４】
１    対物レンズ
３    調整装置
４    ホルダー
６    被検物台
【図１】
2006209111.tif 000003
【図２】
2006209111.tif 000004